(57)【要約】【課題】使用するとインキが当然減少するが、当初インキが存在していた部分からインキが無くなると、前述した経時によってインキ収容管の内面に着色された部分が外から見えてしまい、外観品質の低下につながってしまった。特に、前記の着色は、均一ではなく、茶褐色をおびたまだらな模様となってしまい著しく見栄えが悪いものであった。【解決手段】染料が添加されたインキを充填するインキ収容管であって、そのインキ収容管を半透明に着色したインキ収容管。【選択図】　図２
2004082561.tif 000002
【特許請求の範囲】
【請求項１】
染料が添加されたインキを充填するインキ収容管であって、そのインキ収容管を半透明に着色したことを特徴とするインキ収容管。
【請求項２】
前記インキ収容管を透明性のある樹脂材質で成形すると共に、その樹脂材質中に着色剤を含有させたことを特徴とする請求項１記載のインキ収容管。
【請求項３】
前記インキは、インキ収容管に直接収納されてなる請求項１或いは、請求項２に記載のインキ収容管。
【発明の詳細な説明】
【０００１】
【発明の属する技術分野】
本発明は、染料が添加されたインキを充填するインキ収容管に関する。
【０００２】
【従来の技術】
インキをインキ収容管に直接充填した、いわゆる生インキ式と称される筆記具では、軸内に配した中綿などにインキを充填した筆記具と違い、インキ残量が一目で分かるという利点がある。また、同時に外観よりそのインキの色を一目で判別できるという利点もある。それら利点を最大限にいかすため、通常生インキ式筆記具のインキ収容管は透明な材質で作ることが一般的である。その１例が、特開平７−１４９０９３号公報である。
また、生インキ式の筆記具として、外観色が筆跡の色に近く、耐水性・耐光性に優れる顔料タイプのインキを使用した製品が近年多くなっているが、筆跡の発色の良さや色揃えの豊富さ、時間経過による品質の安定性では、染料タイプのインキが優れ、筆記具として染料インキを使用した製品の割合は未だに高いものとなっている
【０００３】
【発明が解決しようとする課題】
しかし、インキ収容管に染料を含むインキを直接充填すると、工場出荷時など充填直後は特に問題ないが、市場に流通するなど時間が経過することにより、前記染料によってインキ収容管の内面が着色されてしまう。
この様な状態において、使用するとインキが当然減少するが、当初インキが存在していた部分からインキが無くなると、前述した経時によってインキ収容管の内面に着色された部分が外から見えてしまい、外観品質の低下につながってしまった。特に、前記の着色は、均一ではなく、茶褐色などをおびたまだらな模様となってしまい著しく見栄えが悪いものであった。
【０００４】
また、近年においては、インキの後端にグリスを配した筆記具が製品化されているが、この様な筆記具にあっては、透明なグリスを使用されることが多く、その場合もインキ中の染料で前記グリスが着色されてしまい、これまた、外観品質が低下してしまい、ややもすると、インキとグリスの境界が分かりにくく、インキを使い切ったか否か分からなくなってしまう場合があった。
ここで、前記インキ収容管を完全に不透明な物としてしまうことも考えられるが、生インキ式筆記具の特徴である、インキ残量を容易に視認することができるという利点を損ねてしまう。
【０００５】
【課題を解決するための手段】
本発明は、染料が添加されたインキを充填するインキ収容管であって、そのインキ収容管を半透明に着色したことを要旨とする。
【０００６】
【作用】
インキ収容管の内面に染料によってまだらに着色された部分が、半透明に着色されたインキ収容管によって隠蔽される。
【０００７】
【実施例】
ポリカーボネートやポリスチレン、ポリメチルメタクリレート、アクリロニトリル・ブタジエン・スチレン共重合体、アクリロニトリル・スチレン共重合樹脂、ポリ塩化ビニル、ナイロンなどの比較的透明性の高い樹脂材質からなる軸筒１の内部には、コイルスプリングなどの弾撥部材２によって後方に付勢された本発明のインキ収容管３が出没可能に配置されているが、このインキ収容管３については後に詳述する。前記軸筒１は、前軸４と後軸５から構成されており、螺合によって着脱自在に固定されているが、前軸４の前方外周部には、ゴム状弾性体からなるグリップ部材６が被覆されている。一方、後軸５の後部には、カム機構７が形成されたノック部材８が後端部から突出した状態で配置されている。符号９は、後軸５の後端部に固定されたクリップ部材であって、そのクリップ部材９の前方には、前記カム機構７と係合する係合部１０が形成されている。
【０００８】
次に、前記インキ収容管２について説明する。インキ収容管２の前端には、チップホルダー１１を介してボールペンチップ１２が圧入・固定されている。また、インキ収容管２には、染料が添加されたインキ１３が充填されているが、そのインキ１３の後部には、液状グリース１４を介して樹脂製フロート１５が配置されている。勿論、これらグリース１４やフロート１５は、インキの減量（使用）に伴って前進する。
【０００９】
尚、本実施例のインキは、剪断減粘性を有するインキとなっているが、これに限定されるものではない。また、前記染料としては、酸性染料、直接染料、塩基性染料等のいずれも用いることができる。その一例を挙げれば、ジャパノールファストブラックＤコンク（Ｃ．Ｉ．ダイレクトブラック１７）、ウォーターブラック１００Ｌ（同１９）、ウォーターブラックＬ−２００（同１９）、ダイレクトファストブラックＢ（同２２）、ダイレクトファストブラックＡＢ（同３２）、ダイレクトディープブラックＥＸ（同３８）、ダイレクトファストブラックコンク（同５１）、カヤラススプラグレイＶＧＮ（同７１）、カヤラスダイレクトブリリアントエローＧ（Ｃ．Ｉ．ダイレクトエロー４）、ダイレクトファストエロー５ＧＬ（同２６）、アイゼンプリムラエローＧＣＬＨ（同４４）、ダイレクトファストエローＲ（同５０）、アイゼンダイレクトファストレッドＦＨ（Ｃ．Ｉ．ダイレクトレッド１）、ニッポンファストスカーレットＧＳＸ（同４）、ダイレクトファストスカーレット４ＢＳ（同２３）、アイゼンダイレクトローデュリンＢＨ（同３１）、ダイレクトスカーレットＢ（同３７）、カヤクダイレクトスカーレット３Ｂ（同３９）、アイゼンプリムラピンク２ＢＬＨ（同７５）、スミライトレッドＦ３Ｂ（同８０）、アイゼンプリムラレッド４ＢＨ（同８１）、カヤラススプラルビンＢＬ（同８３）、カヤラスライトレッドＦ５Ｇ（同２２５）、カヤラスライトレッドＦ５Ｂ（同２２６）、カヤラスライトローズＦＲ（同２２７）、ダイレクトスカイブルー６Ｂ（Ｃ．Ｉ．ダイレクトブルー１）、ダイレクトスカイブルー５Ｂ（同１５）、スミライトスプラブルーＢＲＲコンク（同７１）、ダイボーゲンターコイズブルーＳ（同８６）、ウォーターブルー＃３（同８６）、カヤラスターコイズブルーＧＬ（同８６）、カヤラススプラブルーＦＦ２ＧＬ（同１０６）、カヤラススプラターコイズブルーＦＢＬ（同１９９）等の直接染料や、アシッドブルーブラック１０Ｂ（Ｃ．Ｉ．アシッドブラック１）、ニグロシン（同２）、スミノールミリングブラック８ＢＸ（同２４）、カヤノールミリングブラックＶＬＧ（同２６）、スミノールファストブラックＢＲコンク（同３１）、ミツイナイロンブラックＧＬ（同５２）、アイゼンオパールブラックＷＨエクストラコンク（同５２）、スミランブラックＷＡ（同５２）、ラニルブラックＢＧエクストラコンク（同１０７）、カヤノールミリングブラックＴＬＢ（同１０９）、スミノールミリングブラックＢ（同１０９）、カヤノールミリングブラックＴＬＲ（同１１０）、アイゼンオパールブラックニューコンク（同１１９）、ウォーターブラック１８７−Ｌ（同１５４）、カヤクアシッドブリリアントフラビンＦＦ（Ｃ．Ｉ．アシッドエロー７：１）、カヤシルエローＧＧ（同１７）、キシレンライトエロー２Ｇ１４０％（同１７）、スミノールレベリングエローＮＲ（同１９）、ダイワタートラジン（同２３）、カヤクタートラジン（同２３）、スミノールファストエローＲ（同２５）、ダイアシッドライトエロー２ＧＰ（同２９）、スミノールミリングエローＯ（同３８）、スミノールミリングエローＭＲ（同４２）、ウォーターエロー＃６（同４２）、カヤノールエローＮＦＧ（同４９）、スミノールミリングエロー３Ｇ（同７２）、スミノールファストエローＧ（同６１）、スミノールミリングエローＧ（同７８）、カヤノールエローＮ５Ｇ（同１１０）、スミノールミリングエロー４Ｇ２００％（同１４１）、カヤノールエローＮＧ（同１３５）、カヤノールミリングエロー５ＧＷ（同１２７）、カヤノールミリングエロー６ＧＷ（同１４２）、スミトモファストスカーレットＡ（Ｃ．Ｉ．アシッドレッド８）、カヤクシルクスカーレット（同９）、ソーラールビンエクストラ（同１４）、ダイワニューコクシン（同１８）、アイゼンボンソーＲＨ（同２６）、ダイワ赤色２号（同２７）、スミノールレベリングブリリアントレッドＳ３Ｂ（同３５）、カヤシルルビノール３ＧＳ（同３７）、アイゼンエリスロシン（同５１）、カヤクアシッドローダミンＦＢ（同５２）、スミノールレベリングルビノール３ＧＰ（同５７）、ダイアシッドアリザリンルビノールＦ３Ｇ２００％（同８２）、アイゼンエオシンＧＨ（同８７）、ウォーターピンク＃２（同９２）、アイゼンアシッドフロキシンＰＢ（同９２）、ローズベンガル（同９４）、カヤノールミリングスカーレットＦＧＷ（同１１１）、カヤノールミリングルビン３ＢＷ（同１２９）、スミノオールミリングブリリアントレッド３ＢＮコンク（同１３１）、スミノールミリングブリリアントレッドＢＳ（同１３８）、アイゼンオパールピンクＢＨ（同１８６）、スミノールミリングブリリアントレッドＢコンク（同２４９）、カヤクアシッドブリリアントレッド３ＢＬ（同２５４）、カヤクアシッドブリリドブリリアントレッドＢＬ（同２６５）、カヤノールミリングレッドＧＷ（同２７６）、ミツイアシッドバイオレット６ＢＮ（Ｃ．Ｉ．アシッドバイオレット１５）、ミツイアシッドバイオレットＢＮ（同１７）、スミトモパテントピュアブルーＶＸ（Ｃ．Ｉ．アシッドブルー１）、ウォーターブルー＃１０６（同１）、パテントブルーＡＦ（同７）、ウォーターブルー＃９（同９）、ダイワ青色１号（同９）、スプラノールブルーＢ（同１５）、オリエントソルブルブルーＯＢＣ（同２２）、スミノールレベリングブルー４ＧＬ（同２３）、ミツイナイロンファストブルーＧ（同２５）、カヤシルブルーＡＧＧ（同４０）、カヤシルブルーＢＲ（同４１）、ミツイアリザリンサフィロールＳＥ（同４３）、スミノールレベリングスカイブルーＲエクストラコンク（同６２）、ミツイナイロンファストスカイブルーＢ（同７８）、スミトモブリリアントインドシアニン６Ｂｈ／ｃ（同８３）、サンドランシアニンＮ−６Ｂ３５０％（同９０）、ウォーターブルー＃１１５（同９０）、オリエントソルブルブルーＯＢＢ（同９３）、スミトモブリリアントブルー５Ｇ（同１０３）、カヤノールミリングウルトラスカイＳＥ（同１１２）、カヤノールミリングシアニン５Ｒ（同１１３）、アイゼンオパールブルー２ＧＬＨ（同１５８）、ダイワギニアグリーンＢ（Ｃ．Ｉ．アシッドグリーン３）、アシッドブリリアントミリンググリーンＢ（同９）、ダイワグリーン＃７０（同１６）、カヤノールシアニングリーンＧ（同２５）、スミノールミリンググリーンＧ（同２７）等の酸性染料、アイゼンカチロンイエロー３ＧＬＨ（Ｃ．Ｉ．ベーシックイエロー１１）、アイゼンカチロンブリリアントイエロー５ＧＬＨ（同１３）、スミアクリルイエローＥ−３ＲＤ（同１５）、マキシロンイエロー２ＲＬ（同１９）、アストラゾンイエロー７ＧＬＬ（同２１）、カヤクリルゴールデンイエローＧＬ−ＥＤ（同２８）、アストラゾンイエロー５ＧＬ（同５１）、アイゼンカチロンオレンジＧＬＨ（Ｃ．Ｉ．ベーシックオレンジ２１）、アイゼンカチロンブラウン３ＧＬＨ（同３０）、ローダミン６ＧＣＰ（Ｃ．Ｉ．ベーシックレッド１）、アイゼンアストラフロキシン（同１２）、スミアクリルブリリアントレッドＥ−２Ｂ（同１５）、アストラゾンレッドＧＴＬ（同１８）、アイゼンカチロンブリリアントピンクＢＧＨ（同２７）、マキシロンレッドＧＲＬ（同４６）、アイゼンメチルバイオレット（Ｃ．Ｉ．ベーシックバイオレット１）、アイゼンクリスタルバイオレット（同３）、アイゼンローダミンＢ（同１０）、アストラゾンブルーＧ（Ｃ．Ｉ．ベーシックブルー１）、アストラゾンブルーＢＧ（同３）、メチレンブルー（同９）、マキシロンブルーＧＲＬ（同４１）、アイゼンカチロンブルーＢＲＬＨ（同５４）、アイゼンダイヤモンドグリーンＧＨ（Ｃ．Ｉ．ベーシックグリーン１）、アイゼンマラカイトグリーン（同４）、ビスマルクブラウンＧ（Ｃ．Ｉ．ベーシックブラウン１）等の塩基性染料が挙げられる。
【００１０】
前記インキ収容管２は、ポリプロピレンやポリエチレンなどの比較的透明性の高い樹脂材質から成形されているが、この樹脂材料の中には少量の着色剤が含有されている。即ち、インキ収容管を成形する前に少量の着色剤を樹脂ペレット状に含有させ成形することによって、着色はされているものの、半透明な収容管を得ているのである。この様に、樹脂中に着色剤を含有させることによって、半永久的に安定した着色効果が得られる。ちなみに、塗装などによる着色であっても良いが、その塗装をインキ収容管の外表面に施した場合には、剥離と言った問題が発生してしまう危険性があり、また、内表面に施した場合には、使用するインキの種類によっては溶解してしまう危険性がある。
また、着色する色としては、充填するインキと同色か、或いは、類似する色とするのが好ましい。しかし、充填するインキの色を例えば、グリップ部材で示すような場合には、充填する色と着色する色とを異ならしめても良い。充填する色に関わらず、一定な色に着色することをによって、生産性の向上を図ることができる。尚、インキ収容管を着色する材質としては、顔料タイプの物であっても良いが、樹脂中に分散性の良い染料タイプを使用するのが好ましい。
【００１１】
【発明の効果】
本発明は、染料が添加されたインキを充填するインキ収容管であって、そのインキ収容管を半透明に着色したので、インキの残量確認が容易に行えることは勿論、経時的に外観見栄えの優れたインキ収容管を提供することができる。
【図面の簡単な説明】
【図１】本発明の１例を示す縦半断面図。
【図２】図１のインキ収容管の拡大縦断面図。
【符号の説明】
１　　　軸筒
２　　　弾撥部材
３　　　インキ収容管
４　　　前軸
５　　　後軸
６　　　グリップ部材
７　　　カム機構
８　　　ノック部材
９　　　クリップ部材
１０　　　係合部
１１　　　チップホルダー
１２　　　ボールペンチップ
１３　　　インキ
１４　　　液状グリース
１５　　　樹脂製フロート
【図１】
2004082561.tif 000003
【図２】
2004082561.tif 000004